(57)【要約】【課題】  本発明は、装置全体として小型化かつ構成の簡易化を図ることができる情報処理装置及び入力装置を実現しようとするものである。【解決手段】  外部入力による操作内容に応じた各種処理を実行する情報処理装置において、操作内容を入力するための入力手段と、入力手段に所定の配列状態で設けられ、ユーザの接触により誘電する複数の検出子と、複数の検出子のうち少なくとも２以上の検出子から接触による検出結果が得られたとき、当該検出結果に基づいて、接触の移動方向及び移動量を算出する算出手段とを設けるようにした。【選択図】        図４
2005115496.tif 000002
【特許請求の範囲】
【請求項１】
外部入力による操作内容に応じた各種処理を実行する情報処理装置において、
上記操作内容を入力するための入力手段と、
上記入力手段に所定の配列状態で設けられ、ユーザの接触により誘電する複数の検出子と、
上記複数の検出子のうち少なくとも２以上の上記検出子から上記接触による検出結果が得られたとき、当該検出結果に基づいて、上記接触の移動方向及び移動量を算出する算出手段と
を具えることを特徴とする情報処理装置。
【請求項２】
上記入力手段に設けられ、各上記検出子間の接触時間及び接触順番に応じて得られた複数の出力信号を生成する信号生成手段
を具え、
上記算出手段は、各上記出力信号の位相差に基づいて、上記接触の移動方向及び移動量を算出する
ことを特徴とする請求項１に記載の情報処理装置。
【請求項３】
外部から各種の操作内容を入力するための入力装置において、
所定の配列状態で設けられ、ユーザの接触により誘電する複数の検出子と、
上記複数の検出子のうち少なくとも２以上の上記検出子から上記接触による検出結果が得られたとき、当該検出結果に基づいて、上記接触の移動方向及び移動量を算出する算出手段と
を具えることを特徴とする入力装置。
【請求項４】
各上記検出子間の接触時間及び接触順番に応じて得られた複数の出力信号を生成する信号生成手段を具え、
上記算出手段は、各上記出力信号の位相差に基づいて、上記接触の移動方向及び移動量を算出する
ことを特徴とする請求項３に記載の入力装置。
【発明の詳細な説明】
【技術分野】
【０００１】
本発明は情報処理装置及び入力装置に関し、例えば携帯用のオーディオ機器に適用して好適なものである。
【背景技術】
【０００２】
従来、この種のオーディオ機器として、曲選択や曲名入力等の容易化を図るために、いわゆるジョグダイヤルを搭載したものがある。一般的にジョグダイヤルは、回転部材でなる操作子がロータリエンコーダの回転軸に回転自在に取り付けられた機構を有し、ユーザの操作により操作子が回転操作されると、ロータリエンコーダが当該操作子の回転に応じたパルス信号を発生することにより、当該操作子の回転方向及び回転量が検出されるようになされている（例えば、特許文献１参照）。
【特許文献１】特開２０００−１５０８８７公報（第４頁、図１及び図２）
【発明の開示】
【発明が解決しようとする課題】
【０００３】
ところで、かかる構成のジョグダイヤルにおいては、操作子を回転させる機構であるため、オーディオ機器の筐体表面にその分に必要な厚みが生じることとなり、機器全体として小型化を図ることは困難であった。
【０００４】
また筐体に対する操作子のガタツキを防止するためには、筐体表面と操作子との間にシート等を追加して挟むなどの煩雑さが要求される場合もあり、その結果、構成が複雑化するおそれもあった。さらに操作子について、他社との間でデザイン的な差別化を図ることも困難になっているのが現状である。
【０００５】
本発明は以上の点を考慮してなされたもので、装置全体として小型化かつ構成の簡易化を図ることができる情報処理装置及び入力装置を提案しようとするものである。
【課題を解決するための手段】
【０００６】
かかる課題を解決するため本発明においては、外部入力による操作内容に応じた各種処理を実行する情報処理装置において、操作内容を入力するための入力手段と、入力手段に所定の配列状態で設けられ、ユーザの接触により誘電する複数の検出子と、複数の検出子のうち少なくとも２以上の検出子から接触による検出結果が得られたとき、当該検出結果に基づいて、接触の移動方向及び移動量を算出する算出手段とを設けるようにした。
【０００７】
このように情報処理装置では、入力手段を複数の検出子と算出手段とから構成することができ、この結果、従来の一般的なジョグダイヤルに比較して格段と薄型化及び小型化することができる。
【０００８】
また本発明においては、外部から各種の操作内容を入力するための入力装置において、所定の配列状態で設けられ、ユーザの接触により誘電する複数の検出子と、複数の検出子のうち少なくとも２以上の検出子から接触による検出結果が得られたとき、当該検出結果に基づいて、接触の移動方向及び移動量を算出する算出手段とを設けるようにした。
【０００９】
このように入力装置では、複数の検出子と算出手段とから構成することができ、この結果、従来の一般的なジョグダイヤルに比較して格段と薄型化及び小型化することができる。
【発明の効果】
【００１０】
上述のように本発明によれば、外部入力による操作内容に応じた各種処理を実行する情報処理装置において、操作内容を入力するための入力手段と、入力手段に所定の配列状態で設けられ、ユーザの接触により誘電する複数の検出子と、複数の検出子のうち少なくとも２以上の検出子から接触による検出結果が得られたとき、当該検出結果に基づいて、接触の移動方向及び移動量を算出する算出手段とを設けるようにしたことにより、入力手段を複数の検出子と算出手段とから構成して従来の一般的なジョグダイヤルに比較して格段と薄型化及び小型化することができ、かくして装置全体として小型化かつ構成の簡易化を図ることができる情報処理装置を実現できる。
【００１１】
また本発明によれば、外部から各種の操作内容を入力するための入力装置において、所定の配列状態で設けられ、ユーザの接触により誘電する複数の検出子と、複数の検出子のうち少なくとも２以上の検出子から接触による検出結果が得られたとき、当該検出結果に基づいて、接触の移動方向及び移動量を算出する算出手段とを設けるようにしたことにより、複数の検出子と算出手段とから構成して従来の一般的なジョグダイヤルに比較して格段と薄型化及び小型化することができ、かくして装置全体として小型化かつ構成の簡易化を図ることができる入力装置を実現できる。
【発明を実施するための最良の形態】
【００１２】
以下図面について、本願発明の一実施の形態について説明する。
【００１３】
（１）本実施の形態による光ディスク再生装置の構成
図１において、１は全体として本実施の形態による光ディスク再生装置を示し、ＣＤ（Compact Disc）等の光ディスク２から音声データＤ１を再生することができるようになされている。
【００１４】
すなわちかかる光ディスク再生装置１においては、再生時、システム全体の制御を司るシステムコントローラ３は、光ディスク２を所定速度で回転駆動させると共に、光学ピックアップ４から照射させた光ビームＬ１のビームスポット（以下、これを単にビームスポットと呼ぶ）を光ディスク２のデータトラックに沿って径方向へ移動させ、かつトラッキング制御及びフォーカス制御を行わせる。
【００１５】
システムコントローラ３は、バス５を介してサーボプロセッサ６、復調回路７、信号処理回路８、出力回路９及び操作部１０に接続されており、これら各回路６〜９を必要に応じて制御して各種動作を実行させ得ると共に、操作部１０から操作内容を受けるようになされている。
【００１６】
光学ピックアップ４は、レーザダイオード、コリメータレンズ、対物レンズ及び受光素子等の光学系デバイス（図示せず）と、レーザダイオードドライバ等の電気系デバイス（図示せず）とを有し、システムコントローラ３がサーボプロセッサ６を介してレーザダイオードを駆動することにより光ビームＬ１を光ディスク２に向けて発射させる。
【００１７】
この結果この光ビームＬ１が光ディスク２の記録面において反射し、その反射光Ｌ２に基づき得られるＲＦ信号Ｓ１が光学ピックアップ４からサーボアンプ１１に与えられる。サーボアンプ１１は、入力されたＲＦ信号Ｓ１に基づいて、当該ＲＦ信号Ｓ１を２値化した２値化信号Ｓ２を復調回路７に送出すると共に、トラッキングエラー信号Ｓ３及びフォーカスエラー信号Ｓ４を生成してサーボプロセッサ６に送出する。
【００１８】
サーボプロセッサ６は、トラッキングエラー信号Ｓ３に基づいてトラッキングドライブ信号Ｓ５を生成して増幅器１２を介して光学ピックアップ４内のトラッキングアクチュエータ（図示せず）を駆動することによりトラッキング制御を行う。またサーボプロセッサ６は、フォーカスエラー信号Ｓ４に基づいてフォーカスドライブ信号Ｓ６を生成して増幅器１３を介して光学ピックアップ４内のフォーカスアクチュエータ（図示せず）を駆動することによりフォーカス制御を行う。
【００１９】
さらにサーボプロセッサ６は、トラッキングエラー信号Ｓ３の低域周波数成分を抽出することによりスレッドドライブ信号Ｓ７を生成して増幅器１４を介してステッピングモータ１５を駆動することにより、リードスクリュー１６を回転させながら、光ディスク２上のビームスポットを光ディスク２の記録面に形成されたデータトラック（プリグルーブ又はランド）に沿って当該光ディスク２の径方向に移動させる。
【００２０】
一方、復調回路７は、供給される２値化信号Ｓ２に基づいてスピンドルエラー信号Ｓ８を生成して増幅器１７を介してスピンドルモータ１８を制御することにより、光ディスク２を所定速度で回転駆動する。
【００２１】
また復調回路７は、供給される２値化信号Ｓ２をデコード処理することにより、光ディスク２におけるそのときのビームスポットの絶対番地を検出し、これをシステムコントローラ３に送出する。すなわち復調回路７は、２値化信号Ｓ２をその内部に設けられた所定の帯域周波数成分を通過範囲とするバンドパスフィルタ回路（図示せず）を通すことにより当該２値化信号Ｓ２に含まれるウォブル成分を抽出すると共に、当該ウォブル成分にＦＭ復調処理を施すことによりそのときビームスポットが位置している光ディスク２上の絶対番地を検出し、これをセクタアドレス情報Ｓ９としてシステムコントローラ３に送出する。
【００２２】
また復調回路７は、上述のようなデコード処理により得られる光ディスク２上での絶対番地が変化するごとに（すなわち光ディスク２におけるビームスポットが走査するセクタが変わるごとに）、これを知らせるシンク割込信号Ｓ１０をシステムコントローラ２２に送出する。
【００２３】
かくしてシステムコントローラ３は、復調回路７から与えられるこれらアドレス情報信号Ｓ９及びシンク割込信号Ｓ１０に基づいて、光ディスク２におけるそのときの再生位置を順次認識し、当該認識結果に基づいて光ディスク２から正しく再生し得るように、必要な制御処理を実行する。
【００２４】
さらに復調回路７は、供給される２値化信号Ｓ２をデコード処理することにより、光ディスク２に記録されている映像及び音声等のコンテンツを表すセクタデータ情報信号Ｓ１１を得て、信号処理回路８に送出する。信号処理回路８は、セクタデータ情報信号Ｓ１１に基づいて、記録前の元のフォーマットでなる音声データＤ１を生成した後、スピーカ及び外部端子等を有する出力回路９に送出する。
【００２５】
このようにしてこの光ディスク再生装置１では、光ディスク２に記録されている音声データＤ１を再生して、スピーカを介して音声を放音させ、又は必要に応じて外部に送出することができるようになされている。
【００２６】
（２）本実施の形態による誘導型タッチスイッチ部の構成
この光ディスク再生装置１における操作部１０には、各種の所定機能が割り当てられたボタン群（図示せず）のみならず、ジョグダイヤル機能をもつ誘導型タッチスイッチ部１０Ａ（図２（Ａ））が設けられている。
【００２７】
この誘導型タッチスイッチ部１０Ａは、図３に示すように、操作部１０の表面に露出された異方性導電材でなる輪状平板のタッチ部１０Ｔに被覆されるように、導電材でなる複数のタッチプレート１０Ｐ１〜１０Ｐ１２が所定の角間隔を保って連続的に配置された構成を有する。
【００２８】
このタッチ部１０Ｔを介してユーザの指が接触されると、当該タッチ部１０Ｔを介して接触方向に位置するタッチプレート１０Ｐ１〜１０Ｐ１２のみが、ユーザの人体をアンテナとして商業用電源でなるいわゆる電源ハムノイズが誘起されるようになされている。
【００２９】
この誘導型タッチスイッチ部１０Ａは、２系統のタッチスイッチ部（以下、これをそれぞれ第１及び第２のタッチスイッチ部と呼ぶ）１０ＡＸ、１０ＡＹからなり、複数のタッチプレート１０Ｐ１〜１０Ｐ１２が第１及び第２のタッチスイッチ部１０ＡＸ、１０ＡＹに属するもの同士で互い違いに隣り合うように配置されている。
【００３０】
そして第１及び第２のタッチスイッチ部１０ＡＸ、１０ＡＹから出力される２系統の出力信号Ｓ１２Ａ、Ｓ１２Ｂ（図２）が、バス５を介してシステムコントローラ３に送出されると、当該システムコントローラ３は、内部に設けられた位相比較回路３Ａを用いて、双方の出力信号Ｓ１２Ａ、Ｓ１２Ｂの位相差に基づいてユーザが接触した指の移動方向及び移動量を算出するようになされている。
【００３１】
実際に誘導型タッチスイッチ部１０Ａの詳細構成を図４に示す。この図４において、誘導型タッチスイッチ部１０Ａを構成する第１及び第２のタッチスイッチ部１０ＡＸ、１０ＡＹは、それぞれＲＳ型フリップフロップ回路２０Ａ、２０Ｂを有し、タッチプレート１０Ｐ１、１０Ｐ５、１０Ｐ９（「Ａ１」に属するもの）及び１０Ｐ２、１０Ｐ６、１０Ｐ１０（「Ａ２」に属するもの）が抵抗Ｒ１及びＲ３を介してセット信号入力端に接続されると共に、タッチプレート１０Ｐ３、１０Ｐ７、１０Ｐ１１（「Ｂ１」に属するもの）及び１０Ｐ４、１０Ｐ８、１０Ｐ１２（「Ｂ２」に属するもの）が抵抗Ｒ２及びＲ４を介してリセット信号入力端に接続されている。
【００３２】
これら第１及び第２のタッチスイッチ部１０ＡＸ、１０ＡＹにおいても、複数のタッチプレート１０Ｐ１〜１０Ｐ１２のうち、ＲＳ型フリップフロップ回路２０Ａ、２０Ｂのセット信号入力端に接続されるタッチプレート１０Ｐ１、１０Ｐ５、１０Ｐ９（「Ａ１」に属するもの）及び１０Ｐ２、１０Ｐ６、１０Ｐ１０（「Ａ２」に属するもの）と、リセット信号入力端に接続されるタッチプレート１０Ｐ３、１０Ｐ７、１０Ｐ１１（「Ｂ１」に属するもの）及び１０Ｐ４、１０Ｐ８、１０Ｐ１２（「Ｂ２」に属するもの）とが、互い違いに隣り合うようにそれぞれ配置されている。
【００３３】
これらＲＳ型フリップフロップ回路２０Ａ、２０Ｂにおけるセット信号入力端及びリセット信号入力端の前段には、それぞれ抵抗Ｒ５〜Ｒ８がバイアスとして電源（図示せず）に接続されている。これらの抵抗Ｒ５〜Ｒ８は、上述の抵抗Ｒ１〜Ｒ４が10〔ｋΩ〕に設定されているのに対して、10〔ＭΩ〕と1000倍も高い値に設定されており、対応するタッチプレート１０Ｐ１〜１０Ｐ１２から電源ハムノイズが誘導されない場合に、当該抵抗Ｒ５〜Ｒ８を介して電源から供給される電圧に基づきセット信号入力端を「Ｈ」レベルとさせて、ＲＳ型フリップフロップ回路２０Ａ、２０Ｂの出力レベルを直前の状態に記憶させるようになされている。
【００３４】
ここで図５（Ａ）において、ユーザが指でタッチ部１０Ｔを介して第１のタッチスイッチ部１０ＡＸに属するタッチプレート１０Ｐ１（１０Ｐ５、１０Ｐ９）（「Ａ１」に属するもの）を接触する（時点ｔ１）と、当該タッチプレート１０Ｐ１（１０Ｐ５、１０Ｐ９）を介して人体をアースとして誘起される電源ハムノイズにより、ＲＳ型フリップフロップ回路２０Ａのセット信号入力端ＰＳがほぼグランドＧＮＤに接地された状態となり（図５（Ｂ）（ａ））、このときリセット信号入力端ＰＲが電源電圧ＶＤＤにより「Ｈ」レベルであることから（図５（Ｂ）（ｂ））、出力信号Ｓ１２Ａは「Ｈ」レベルとなる（図５（Ｂ）（ｃ））。
【００３５】
そしてユーザがタッチ部１０Ｔを接触するもののタッチプレート１０Ｐ１（１０Ｐ５、１０Ｐ９）も接触しない状態（時点ｔ１〜ｔ２）では、ＲＳ型フリップフロップ回路２０Ａのセット信号入力端ＰＳが電源電圧ＶＤＤにより「Ｈ」レベルとなり（図５（Ｂ）（ａ））、このときリセット信号入力端ＰＲも「Ｈ」レベルであることから（図５（Ｂ）（ｂ））、出力信号Ｓ１２Ａは直前の状態のまま「Ｈ」レベルを維持する（図５（Ｂ）（ｃ））。
【００３６】
続いてユーザが指でタッチ部１０Ｔを介してタッチプレート１０Ｐ３（１０Ｐ７、１０Ｐ１１）（「Ｂ１」に属するもの）を接触する（時点ｔ２）と、当該タッチプレート１０Ｐ３（１０Ｐ７、１０Ｐ１１）を介して人体をアースとして誘起される電源ハムノイズにより、ＲＳ型フリップフロップ回路２０Ａのリセット信号入力端ＰＲがほぼグランドＧＮＤに接地された状態となり（図５（Ｂ）（ａ））、このときセット信号入力端ＰＳが電源電圧ＶＤＤにより「Ｈ」レベルであることから（図５（Ｂ）（ｂ））、出力信号Ｓ１２Ａは「Ｌ」レベルと反転する（図５（Ｂ）（ｃ））。
【００３７】
このように第１及び第２のタッチスイッチ部１０ＡＸ、１０ＡＹは、複数のタッチプレート１０Ｐ１〜１０Ｐ１２のうちユーザが接触したタッチ部１０Ｔに位置するタッチプレート１０Ｐ１〜１０Ｐ１２を検出するためのパルス信号でなる出力信号Ｓ１２Ａ、Ｓ１２Ｂをそれぞれ出力する。
【００３８】
具体的には、図６に示すように、複数のタッチプレート１０Ｐ１〜１０Ｐ１２のうち第１のタッチスイッチ部１０ＡＸに属するタッチプレート１０Ｐ１を基準として、ユーザがタッチ部１０Ｔを介して指を接触させながら、矢印ａ方向（＋方向）又は矢印ｂ方向（−方向）に移動させていく場合について説明する。
【００３９】
まずユーザが指をタッチ部１０Ｔを介してタッチプレート１０Ｐ１に接触しながら矢印ａ方向にそのままタッチプレート１０Ｐ６まで移動する場合、第１のタッチスイッチ部１０ＡＸからの出力信号Ｓ１２Ａは、図７（Ａ）に示すように、基準となるタッチプレート１０Ｐ１からタッチプレート１０Ｐ３までは「Ｈ」レベルであり、当該タッチプレート１０Ｐ３から反転してタッチプレート１０Ｐ５まで「Ｌ」レベルとなり、当該タッチプレート１０Ｐ５から再び「Ｈ」レベルに反転する。
【００４０】
一方、第２のタッチスイッチ部１０ＡＹからの出力信号Ｓ１２Ｂは、図７（Ｂ）に示すように、タッチプレート１０Ｐ２からタッチプレート１０Ｐ４までは「Ｈ」レベルであり、当該タッチプレート１０Ｐ４から反転してタッチプレート１０Ｐ６まで「Ｌ」レベルとなり、当該タッチプレート１０Ｐ６から再び「Ｈ」レベルに反転する。
【００４１】
これに対して、ユーザが指をタッチ部１０Ｔを介してタッチプレート１０Ｐ１に接触しながら矢印ｂ方向にそのままタッチプレート１０Ｐ８まで移動する場合、第１のタッチスイッチ部１０ＡＸからの出力信号Ｓ１２Ａは、図７（Ｃ）に示すように、基準となるタッチプレート１０Ｐ１からタッチプレート１０Ｐ１１までは「Ｈ」レベルであり、当該タッチプレート１０Ｐ１１から反転してタッチプレート１０Ｐ９まで「Ｌ」レベルとなり、当該タッチプレート１０Ｐ９から再び「Ｈ」レベルに反転する。
【００４２】
一方、第２のタッチスイッチ部１０ＡＹからの出力信号Ｓ１２Ｂは、図７（Ｄ）に示すように、タッチプレート１０Ｐ１２からタッチプレート１０Ｐ１０までは「Ｌ」レベルであり、当該タッチプレート１０Ｐ１０から反転してタッチプレート１０Ｐ８まで「Ｈ」レベルとなり、当該タッチプレート１０Ｐ８から再び「Ｌ」レベルに反転する。
【００４３】
かくしてシステムコントローラ３（図２）は、第１及び第２のタッチスイッチ部１０ＡＸ、１０ＡＹから出力される２系統の出力信号Ｓ１２Ａ、Ｓ１２Ｂを位相比較部３Ａに受け取ると、双方の出力信号Ｓ１２Ａ、Ｓ１２Ｂの位相差を比較することにより、ユーザが接触した指の移動方向及び移動量を算出し得るようになされている。
【００４４】
この後システムコントローラ３は、ユーザが接触した指の移動方向及び移動量に基づいて、対応する操作内容に応じた各種処理（曲選択や曲名入力等）を実行するようになされている。
【００４５】
（３）本実施の形態による動作及び効果
以上の構成において、光ディスク再生装置１では、操作部１０の誘導型タッチスイッチ部１０Ａにおけるタッチ部１０Ｔをユーザが指で接触しながら所望方向に移動すると、当該接触位置に対応するタッチプレート（１０Ｐ１〜１０Ｐ１２）が順次接触されることから、当該各タッチプレート（１０Ｐ１〜１０Ｐ１２）間の接触時間及びその順番に応じて得られる２系統の出力信号Ｓ１２Ａ、Ｓ１２Ｂの位相差に基づいて、ユーザが接触した指の移動方向及び移動量を検出することができる。
【００４６】
かくしてユーザはあたかも一般的なジョグダイヤルを操作している場合と同様の操作で各種の操作内容を入力することができる。さらに一般的なジョグダイヤルと異なり、ユーザが操作する開始位置を特定しなくて済むことから、操作範囲に自由度を増すことができるという利点がある。
【００４７】
また誘導型タッチスイッチ部１０Ａの構成を上述のような所定の配列状態に設けられた複数のタッチプレート１０Ｐ１〜１０Ｐ１２を有する構成にしたことにより、操作部１０の構造を従来の一般的なジョグダイヤルに比較して格段と薄型化及び小型化することができる。
【００４８】
さらに操作部１０に設けられる誘導型タッチスイッチ部１０Ａはタッチ部１０Ｔのみが筐体表面から露出した構造であることにより、容易に防水性を増加させることができるのみならず、一般的なジョグダイヤルのような操作子のガタツキを回避するための機構を設ける必要がなくて済む。
【００４９】
さらに誘導型タッチスイッチ部１０Ａに設けられたタッチ部１０Ｔを介して各タッチプレート１０Ｐ１〜１０Ｐ１２を接触するにあたって、ユーザの人体をアンテナとする電源ハムノイズを誘起させる手法でセンサ機能を構築するようにしたことにより、人体以外の物体が接触した場合でも誤動作を未然に防止することができる。
【００５０】
以上の構成によれば、この光ディスク再生装置１において、操作部に所定の配列状態で設けられた複数のタッチプレート１０Ｐ１〜１０Ｐ１２を有する誘導型タッチスイッチ部１０Ａを設け、当該各タッチプレート１０Ｐ１〜１０Ｐ１２にユーザの人体をアンテナとする電源ハムノイズを誘起させる手法によるセンサ機能を持たせるようにしたことにより、操作部１０の構造を従来の一般的なジョグダイヤルに比較して格段と薄型化することができ、かくして光ディスク再生装置１全体の構成を小型化かつ構成の簡易化を図ることができる。
【００５１】
（４）他の実施の形態
なお上述のように本実施の形態においては、本発明を図１のような光ディスク再生装置１に適用するようにした場合について述べたが、本発明はこれに限らず、要は外部入力による操作内容に応じた各種処理を実行することができれば、ＤＶＤ（Digital Versatile Disk）等の記録及び又は再生装置のみならず、ＭＤ（Mini Disc）等の光磁気ディスクの記録及び又は再生装置やビデオカメラ、携帯電話機など、この他種々の構成の情報処理装置に広く適用することができる。
【００５２】
また上述のように本実施の形態においては、外部から各種の操作内容を入力するための入力手段（入力装置）を、図１に示す操作部１０及びシステムコントローラ３から構成するようにした場合について述べたが、本発明はこれに限らず、この他種々の構成のものに広く適用するようにしても良い。
【００５３】
この場合、所定の配列状態で設けられ、ユーザの接触により誘電する複数の検出子として、誘導型タッチスイッチ部１０Ａに設けられた複数のタッチプレート１０Ｐ１〜１０Ｐ１２を適用し、当該各タッチプレート１０Ｐ１〜１０Ｐ１２にユーザの人体をアンテナとする電源ハムノイズを誘起させる手法によるセンサ機能を持たせるようにした場合について述べたが、ユーザの接触により誘電するのであれば、この他種々の構成のものに広く適用することができる。さらには各検出子を透明電極から構成すれば、本発明を透過型パネルにも適用することができる。
【００５４】
その際、複数のタッチプレート（検出子）１０Ｐ１〜１０Ｐ１２を輪状に所定間隔で配列するようにした場合について述べたが、情報処理装置の筐体構造に合わせて所望の形状（直線形状や湾曲形状）に所定間隔で配列するようにしても各検出子からユーザの接触による検出結果を得て、当該接触の移動方向及び移動量を算出することができれば、本実施の形態の場合と同様の効果を得ることができる。
【００５５】
また複数のタッチプレート（検出子）１０Ｐ１〜１０Ｐ１２の配列状態として、本実施の形態の場合は、第１及び第２のタッチスイッチ部１０ＡＸ、１０ＡＹに属するもの同士で互い違いに隣り合うように配置するようにした場合について述べたが、本発明はこれに限らず、当該接触の移動方向及び移動量を算出することができれば、各検出子の配列状態は種々のパターンに広く適用するようにしても良い。
【００５６】
さらに上述のように本実施の形態においては、複数のタッチプレート（検出子）１０Ｐ１〜１０Ｐ１２のうち少なくとも２以上のタッチプレート（検出子）からユーザの接触による検出結果が得られたとき、当該検出結果に基づいて、接触の移動方向及び移動量を算出する算出手段として、システムコントローラ３の位相比較部３Ａ（図２）を適用するようにした場合について述べたが、本発明はこれに限らず、この他種々の構成のものに広く適用するようにしても良い。
【００５７】
さらに上述のように本実施の形態においては、各タッチプレート（検出子）１０Ｐ１〜１０Ｐ１２間の接触時間及び接触順番に応じて得られた複数の出力信号Ｓ１２Ａ、Ｓ１２Ｂを生成する信号生成手段を、誘導型タッチスイッチ部１０Ａの第１及び第２のタッチスイッチ部１０ＡＸ、１０ＡＹから構成するようにした場合について述べたが、本発明はこれに限らず、システムコントローラ（算出手段）３がユーザの接触の移動方向及び移動量を算出することができれば、この他種々の出力信号を生成する構成のものを広く適用するようにしても良い。
【産業上の利用可能性】
【００５８】
情報処理装置及び入力装置において、携帯型のオーディオ機器や携帯電話機などに適用することができる。
【図面の簡単な説明】
【００５９】
【図１】本実施の形態による光ディスク再生装置の構成を示すブロック図である。
【図２】図１に示す操作部及びシステムコントローラの構成を示す略線的なブロック図である。
【図３】誘導型タッチスイッチ部の外観構成を示す略線的な平面図である。
【図４】誘導型タッチスイッチ部の詳細構成を示すブロック図である。
【図５】第１のタッチスイッチ部における動作状態の説明に供するブロック図及びタイミングチャートである。
【図６】複数のタッチプレートの配列状態の説明に供する略線的な平面図である。
【図７】第１及び第２のタッチスイッチ部における動作状態の説明に供するタイミングチャートである。
【符号の説明】
【００６０】
１……光ディスク再生装置、２……光ディスク、３……システムコントローラ、３Ａ……位相比較部、１０……操作部、１０Ａ……誘導型タッチスイッチ部、１０ＡＸ……第１のタッチスイッチ部、１０ＡＹ……第２のタッチスイッチ部、１０Ｐ１〜１０Ｐ１２……タッチプレート、１０Ｔ……タッチ部、２０Ａ、２０Ｂ……ＲＳ型フリップフロップ回路、Ｓ１２Ａ、Ｓ１２Ｂ……出力信号。
【図１】
2005115496.tif 000003
【図２】
2005115496.tif 000004
【図３】
2005115496.tif 000005
【図４】
2005115496.tif 000006
【図５】
2005115496.tif 000007
【図６】
2005115496.tif 000008
【図７】
2005115496.tif 000009